(57)【要約】【課題】背面投射型映像装置である液晶リアプロジェクションテレビに使用される光源を前面側から交換可能にして装置の性能を向上させる。【解決手段】背面投射型映像装置は、画面の背面から光を投射する光源を備えたランプハウスを有する背面投射型映像装置であって、前記ランプハウスは、前記光源から断熱された取っ手を有し、該取っ手により前記装置本体の前面方向から着脱自在に取り付けられたことである。【選択図】図１
2006091922.tif 000002
【特許請求の範囲】
【請求項１】
画面の背面から光を投写する光源を備えたランプハウスを有する背面投射型映像装置であって、
該装置本体の前記画面をなすスクリーンが配された前面に着脱自在に設けられた体裁部材と、
前記装置本体の前記体裁部材に対応する位置に設けられた、前面方向より前記ランプハウスを収容するランプハウス収容部と
を備え、
前記ランプハウスは、前記光源から断熱された取っ手を有し、前記体裁部材を外した状態で、前記取っ手により前記装置本体の前面方向から着脱可能に取付けられたことを特徴とする背面投射型映像装置。
【請求項２】
前記体裁部材は多数の透孔を有する目隠し用グリル部材であることを特徴とする請求項１に記載の背面投射型映像装置。
【請求項３】
前記装置本体の前記体裁部材に対応する位置に、スピーカーを設けたことを特徴とする請求項２に記載の背面投射型映像装置。
【請求項４】
前記装置本体の前記体裁部材に対応する位置に、前記装置本体の内部を冷却する空気取入口を設けたことを特徴とする請求項２に記載の背面投射型映像装置。
【請求項５】
前記空気取入口にはフィルターを配置していることを特徴とする請求項４に記載の背面投射型映像装置。
【請求項６】
前記ランプハウスは、少なくとも１面は断熱性部材で形成され前記取っ手は前記１面上に一体成形されていることを特徴とする請求項１に記載の背面投射型映像装置。
【請求項７】
前記ランプハウスの少なくとも１面には、ランプの取り扱いの表示が設けられていることを特徴とする請求項６に記載の背面投射型映像装置。
【請求項８】
前記ランプハウスの少なくとも１面上に一体成形された取っ手は、上部側及び下部側からめくら穴形状に形成された構造を有することを特徴とする請求項６に記載の背面投射型映像装置。
【請求項９】
前記ランプハウスには、前記光源の前面にガラス板が設けられていることを特徴とする請求項１に記載の背面投射型映像装置。
【請求項１０】
前記ランプハウスには、複数の透孔を有するランプカバーが設けられていることを特徴とする請求項１に記載の背面投射型映像装置。
【請求項１１】
上部キャビネットと、
該上部キャビネットの下側に配置された下部キャビネットと、
前記上部キャビネット内に設けられたミラーと
を備え、
前記スクリーンは前記上部キャビネットの前面に設けられ、前記体裁部材及び前記ランプハウス収納部は前記下部キャビネットに設けられていることを特徴とする請求項１に記載の背面投射型映像装置。
【発明の詳細な説明】
【技術分野】
【０００１】
本発明は、画面の背面から光を投射して映像を写し出せる映像装置、例えば内部に液晶表示部（以下、ＬＣＤと云う）を含む映像機器、投射レンズを含む光学ユニット、光源及びミラー等が装備され、上部の前面側にスクリーンが取り付けられた液晶リアプロジェクションテレビジョン受像機（以下、液晶リアプロジェクションテレビと云う）に使用される光源に関するものである。
【背景技術】
【０００２】
従来技術における背面投射型映像装置、例えば液晶リアプロジェクションテレビは、奥行きを少なくしてスクリーンを広くできることにより、ブラウン管を用いたテレビジョン受像機よりも大型化が容易であり、例えば図６に示すものが従来例として周知である。
【０００３】
液晶リアプロジェクションテレビ１は、図６に示すように、上部キャビネット２と下部キャビネット３とから構成され、上部キャビネット２の内部には前面側に配設したスクリーン４と、スクリーン４に映像の光線を照射するミラー５とを設けた構造となっている。
【０００４】
下部キャビネット３には、投射レンズ６を備えた光学ユニット７と、この光学ユニット７に光を照射する光源を備えたランプハウス部８と、図示していないが光学ユニット７を制御する制御部を設けた構造となっている。
【０００５】
ランプハウス部８は、図示していないが、その内部に光を発生させるランプを内蔵し、その内蔵されたランプは高熱を発生するため、液晶リアプロジェクションテレビの背面側から収納し、容易に交換できないようにして、液晶リアプロジェクションテレビの利用者の安全性を図っている。
【特許文献１】特開平４−２５４８８６号公報（第２頁乃至第３頁，第１図）
【発明の開示】
【発明が解決しようとする課題】
【０００６】
しかしながら、上記説明した従来技術における液晶リアプロジェクションテレビのランプハウスの収納構造は、テレビジョン受像機の背面側から抜き差しする構造になっている。そして、簡単に交換できない構造となっているために、大型化した背面投射型映像装置におけるランプ交換の作業が煩雑であると云う問題点が指摘されている。
【０００７】
又、ブラウン管によるテレビジョン受像機と違って、背面照射型映像装置に使用されているランプ自体の寿命は短く、もしランプが切れた場合には、映像は完全に使用できなくなり、復旧に時間がかかれば信頼性が大幅に減少してしまうと云う問題点も指摘されている。
【０００８】
更に、ランプが切れた場合であっても、高熱の発生することを理由に、簡単に取り外しできない構造になっているために、ランプが切れる毎に専門技術者による交換が必要であり、その分修復作業に時間がかかり、ブラウン管によるテレビジョン受像機に比較して見たい映像が見られなくなる時間が長いと云う問題点もある。
【０００９】
従って、大型化が容易な背面投射型映像装置に必須の光源に使用される寿命のあるランプの交換に解決しなければならない課題を有している。
【課題を解決するための手段】
【００１０】
前記従来例の課題を解決するために本発明に係る背面投射型映像装置は次に示す構成にすることである。
【００１１】
（１）背面投射型映像装置は、画面の背面から光を投写する光源を備えたランプハウスを有する背面投射型映像装置であって、該装置本体の前記画面をなすスクリーンが配された前面に着脱自在に設けられた体裁部材と、前記装置本体の前記体裁部材に対応する位置に設けられた、前面方向より前記ランプハウスを収容するランプハウス収容部とを備え、前記ランプハウスは、前記光源から断熱された取っ手を有し、前記体裁部材を外した状態で、前記取っ手により前記装置本体の前面方向から着脱可能に取付けられたことである。
（２）前記体裁部材は多数の透孔を有する目隠し用グリル部材であることを特徴とする（１）に記載の背面投射型映像装置。
（３）前記装置本体の前記体裁部材に対応する位置に、スピーカーを設けたことを特徴とする（２）に記載の背面投射型映像装置。
（４）前記装置本体の前記体裁部材に対応する位置に、前記装置本体の内部を冷却する空気取入口を設けたことを特徴とする（２）に記載の背面投射型映像装置。
（５）前記空気取入口にはフィルターを配置していることを特徴とする（４）に記載の背面投射型映像装置。
（６）前記ランプハウスは、少なくとも１面は断熱性部材で形成され前記取っ手は前記１面上に一体成形されていることを特徴とする（１）に記載の背面投射型映像装置。
（７）前記ランプハウスの少なくとも１面には、ランプの取り扱いの表示が設けられていることを特徴とする（６）に記載の背面投射型映像装置。
（８）前記ランプハウスの少なくとも１面上に一体成形された取っ手は、上部側及び下部側からめくら穴形状に形成された構造を有することを特徴とする（６）に記載の背面投射型映像装置。
（９）前記ランプハウスには、前記光源の前面にガラス板が設けられていることを特徴とする（１）に記載の背面投射型映像装置。
（１０）前記ランプハウスには、複数の透孔を有するランプカバーが設けられていることを特徴とする（１）に記載の背面投射型映像装置。
（１１）上部キャビネットと、該上部キャビネットの下側に配置された下部キャビネットと、前記上部キャビネット内に設けられたミラーとを備え、前記スクリーンは前記上部キャビネットの前面に設けられ、前記体裁部材及び前記ランプハウス収納部は前記下部キャビネットに設けられていることを特徴とする（１）に記載の背面投射型映像装置。
【００１２】
このような構成にすることによって、大型化する背面投射型映像装置のランプ交換が前面側からできるようになり、装置自体をその都度動かさないで交換することができる。
【００１３】
又、ランプハウスを前面に設け、且つ交換可能にしたことにより、予備のランプハウスを準備しておけば、ランプが切れた場合に、すぐにランプハウス毎交換することができるようになる。
【００１４】
更に、断熱部材の取っ手を設けた構造にすることにより、ランプが切れた場合に、専門的な技術がない、所謂、素人であっても簡単にランプ交換ができるようになる。
【発明の効果】
【００１５】
本発明に係る背面投射型映像装置は、画面の背面から光を投射する光源を備えたランプハウスを前記装置の前面方向から交換可能に取付けたことにより、大型な装置であっても、装置自体を動かすことなく前面側から投射用ランプの交換をすることができると云う効果がある。
【００１６】
又、ランプハウスは、光源の周囲を網状に形成し、断熱部材で形成された面上に取っ手を設けたことにより、高熱を発生するランプであっても安全な取り扱いができると云う効果がある。
【発明を実施するための最良の形態】
【００１７】
次に、本発明に係る背面照射型映像装置について、液晶リアプロジェクションテレビの実施形態について図を参照にして以下詳細に説明する。尚、従来技術と同一のものには理解し易いように同一番号を付与して説明する。
【実施例１】
【００１８】
液晶リアプロジェクションテレビ１Ａは、図１及び図２に示すように、上部キャビネット２Ａと下部キャビネット３Ａとから構成されている。
【００１９】
上部キャビネット２Ａは、その前面側に長方形状のフレーム部１０が形成され、該フレーム部１０にスクリーン４Ａが取り付けられている。そして、図２に示すように、上面壁１１、両側面壁１２、背面壁１３及び底面壁１４により全体としては内部が空洞で且つ周囲が封鎖された箱形状に形成され、背面壁１３の内側に台座を介してミラー５Ａが取り付けられている。
【００２０】
下部キャビネット３Ａには、前記上部キャビネット２Ａに設けられたスクリーン４Ａ及びミラー５Ａを除き、液晶リアプロジェクションテレビ１Ａとしての必要な全ての機器が装備されている。例えば、主要構成部としてＬＣＤ及び駆動回路を含む映像機器及び投射レンズを備えた光学ユニット７Ａが略中央部に配設されている。
【００２１】
図１に示す下部キャビネット３Ａの前面側の中央部から右側の位置（本実施例では正面から見て右側）に光源部１５とスピーカー１６とが配設され、その上から多数の透孔を有する目隠し用第１のグリル（体裁部材）１８ａで覆った構造となっている。
【００２２】
前記ＬＣＤは投射レンズを含め、ＲＧＢの色彩濃度も制御できるようにした、所謂、光学ユニット７Ａとして一般的に使用されているものが採用され、駆動回路は、例えば、プリント基板に複数の必要な電子部品を搭載したものが採用される。尚、光源としては、例えば、高性能な光輝度放電ランプ（実施例においてはＨＩＤランプ／１００Ｗ）を使用し、全体をカートリッジ式にして、液晶リアプロジェクションテレビ１Ａ本体の前面側からランプを備えたランプハウス毎簡単に交換できるようにしてある。
【００２３】
下部キャビネット３Ａの前面側の左側にはスピーカ１６と、内部の光学ユニット７Ａ（図２参照）を冷却するための空気取入口１７が設けられ、その上から化粧板であって多数の透孔を有する第２のグリル（体裁部材）１８ｂで目隠ししてある。尚、図示されていないが空気取入口１７からの空気は内部に設けたファンにより送風され光学ユニット７Ａを冷却する構造となっている。
【００２４】
下部キャビネット３Ａの前面側において中央部よりやや右側位置に操作パネル部１９が取り付けられ、各種の操作が手動で行えると共に、リモートコントロールによる操作も行えるようにしてある。
【００２５】
このようにして、光源部１５、スピーカー１６及び空気取入口１７は、前面側に着脱自在に配設した化粧用の第１及び第２のグリル（体裁部材）１８ａ、１８ｂにより全面的に覆われて目隠しされた状態にし、体裁を良くしてある。
【００２６】
一方、液晶リアプロジェクションテレビ１Ａを設置した位置をずらしたり移動させたりすることなく、前面側の第１及び第２のグリル（体裁部材）１８ａ、１８ｂを取り外すことにより、光源部１５の光源の取り替えが容易に行えると共に、空気取入口１７のフィルターも簡単に取り替えることができる。
【００２７】
この光源部１５は、図３に示すように、液晶プロジェクションテレビ１Ａの下部キャビネット３Ａの前面右側位置に設けたものであり、下部キャビネット３Ａ本体に設けた光源収容部２０と、光源収容部２０内に位置決めして固定されるランプハウス収容部２１と、高輝度放電ランプを備えたランプハウス２２と、取扱手段を有する保護カバー３９と、音声の通過及び空気の流路も兼ねた多数の透孔を有する第１のグリル１８ａとから構成されている。
【００２８】
光源収容部２０は、図４に示すように、下部キャビネット３Ａの前面に配置する枠体２４に設けた光源収容枠２５と、ランプハウス収容部２１とから構成され、ランプハウス収容部２１を取り付け、その前面に枠体２４を配置することにより形成される。
【００２９】
光源収容枠２５は、図４に示すように、略四角形状の窓型形状に形成され、四方の各コーナーに補強を兼ねると共に、ランプハウス２２のガイドをも兼ねた係合凸部２６ａ〜２６ｄを設けた構造となっている。
【００３０】
ランプハウス収容部２１は、図５に示すように、略四角形状の断熱性材料で形成され、籠型形状をしており、取り付ける方向に対して左側側面にはひし型形状の光路用窓部２６を設け、そのほかの３側面は所定の大きさの透孔２７を多数設け、開口部２８の端縁にはランプハウス２２を係止するネジ穴部２９を設けた構造となっている。
【００３１】
このような構造からなる光源収容部２０は、図４に示すように、先ず下部キャビネット３Ａ本体の光源収容位置にランプハウス収容部２１を収容して、図示していない上部に設けた固定具と背面にあるネジ止めにより配置固定される。そして、その上から枠体２４を被せることにより完成する。
【００３２】
次に、ランプハウス２２について説明する。ランプハウス２２は、図５に示すように、ランプハウス収容部２１の形状と略同じくして四角形状に形成され、収容する方向の左側面と前面側を直角に連設して形成し、ランプ３０を支持する断熱性部材のランプ支持部３１と、ランプ支持部３１の前面側であって同一断熱性部材で一体形成した取手部３２と、金属性材料で形成され、収容する方向の右側面と背面と平面と底面とが各々直角になり、各々に多数の透孔３３からなる網状に形成されたランプカバー部３４とから構成されている。
【００３３】
ランプ支持部３１には、ランプ３１の前面のガラス面が外側に臨むようにして係合支持する円形状の窓部３５を設けた構造となっている。
【００３４】
取手部３２は、ランプハウス２２の前面側に位置し両側に固定ネジ３６を備えたネジ部３７と、下部側にランプの取り扱いを記載し、その上部に取手（取っ手）３８を取り付けた構造となっている。このネジ部３７に差し込まれるネジ３６は簡単にとれないようにヘックスレンチにより外れるヘックスネジが使用されているが、これに限定されないことは勿論のことである。
【００３５】
取手３８は、ランプ３０の取り扱いを記載した位置の上部であって、中央位置よりやや右側位置に上部側及び下部側から略半円形状のめくら穴形状に形成した構造となっている。このような構造とした取手３８は、右手又は左手の片方で親指を上方向から差込むと共に下方向から人差し指を差し込み、他の指の背中部分をランプ３０の取扱を記載した位置近傍にあてて抜き差し等の取り扱いができる構造となっている。即ち、親指と人差し指とで取手３８を持つ構造にしてその他の指等では取り扱いずらい構造となっており、且つランプ３０を持った時に安定した所持状態となり、ランプ３０の取り扱いを慎重にさせる構造となっている。
【００３６】
保護カバー３９は、図５に示すように、略四角形状に形成し、横方向の両側の溝を挟んだ棒状のノブ４０と、ノブ４０の下部側位置にランプ３０の交換のしかたを記載した取扱手段である取扱部４１とから構成され、ランプハウス収容部２１にランプハウス２２を収容した上から係合する。このようにわざと保護カバー３９を設けることにより、ランプ３０を交換の際に高熱であることの注意を喚起させ，ランプ３０の交換を慎重に行わせることができると共に、交換作業が素人でもできるように取扱部４１に記載されており、正確な交換作業ができるような配慮がされている。
【００３７】
このような構造からなる光源部１５は、図３に示すように、液晶プロジェクションテレビ１Ａ本体の光源収容部２０にランプハウス収容部２１を設置し、ランプハウス２２を前面側から入れて係合させる。この時、図示されていないがランプハウス２２の背面に設けてあるランプ３０に電源を供給するコネクタが本体と接続する構造となっている。そして、ランプ３０の照射するレンズ面が光路用窓部２６（図５参照）を介して臨んだ状態となる。そしてランプハウス２２を覆うようして保護カバー３９を取り付けてその上から化粧板である第２のグリル１８ｂを組み立てて完成する。このように、背面照射用のランプを備えたランプハウス２２をカートリッジ形式にして、液晶リアプロジェクションテレビ１Ａの前面方向から素人でも簡単に抜き差しして交換できる構造が実現するのである。
【図面の簡単な説明】
【００３８】
【図１】本発明に係る背面投射型映像装置である液晶リアプロジェクションテレビの正面図である。
【図２】同実施例に係る液晶リアプロジェクションテレビの側面図である。
【図３】同実施例に係る液晶リアプロジェクションテレビの光源部の分解斜視図である。
【図４】同実施例に係る液晶リアプロジェクションテレビの光源部を拡大して示した斜視図である。
【図５】同光源部を分解して示した斜視図である。
【図６】従来技術における背面型投射装置である液晶リアプロジェクションテレビの側面図である。
【符号の説明】
【００３９】
１、１Ａ  液晶リアプロジェクションテレビ
２、２Ａ  上部キャビネット
３、３Ａ  下部キャビネット
４、４Ａ  スクリーン
５、５Ａ  ミラー
６    投射レンズ
７    光学ユニット
８    ランプハウス
１０    フレーム部
１１    上面壁
１２    側面壁
１３    背面壁
１４    底面壁
１５    光源部
１６    スピーカ
１７    空気取入口
１８ａ  第１のグリル
１８ｂ  第２のグリル
１９    操作パネル部
２０    光源収容部
２１    ランプ収容部
２２    ランプハウス
２４    枠体
２５    光源収容枠
２６    光路用窓部
２７    透孔
２８    開口部
２９    ネジ穴部
３０    ランプ
３１    ランプ支持部
３２    取手部
３３    透孔
３４    ランプカバー部
３５    窓部
３６    固定ネジ
３７    ネジ部
３８    取手
３９    保護カバー
４０    ノブ
４１    取扱部。
【図１】
2006091922.tif 000003
【図２】
2006091922.tif 000004
【図３】
2006091922.tif 000005
【図４】
2006091922.tif 000006
【図５】
2006091922.tif 000007
【図６】
2006091922.tif 000008